(57)【要約】【課題】導波路の内部に結合された光の漏れ及び損失を最小化するようになされた導波路を含むキーパッドアセンブリを提供する。【解決手段】本発明は、内部に伝搬される光を導波させる導波路と、導波路の内部に結合された光の導波方向に対して垂直に形成され、導波路によって導波された光を前記導波路に反射させるための少なくとも一つの溝とを含む導波部材を提供する。また、少なくとも一つのキーボタンとキーボタンが固定される弾性シートを有するキーパッドと、キーパッドの下部に位置され、内部に伝搬される光を導波させるための導波路及び導波路によって導波される光を前記導波路に反射させるための少なくとも一つの溝を有する導波部材と、導波部材の下部に位置され、キーボタンが押されることによって電気コンタクトを形成するスイッチパッドとを含むキーパッドアセンブリを提供する。【選択図】図１Ａ
2011204686.tif 000002
【特許請求の範囲】
【請求項１】
内部に伝搬される光を導波させる導波路と、
前記導波路の内部に結合された光の導波方向に対して垂直に形成され、前記導波路によって導波された光を前記導波路に反射させるための少なくとも一つの溝と、
光が入射される一側面を除いた導波路の残り側面を取り囲み、光を吸収する光遮断層と、を含むことを特徴とする導波部材。
【請求項２】
前記溝は、前記導波路の側面に凹凸状に形成され、或いは前記導波路の上面及び下面を貫通する孔状に形成されることを特徴とする請求項１に記載の導波部材。
【請求項３】
前記導波路の上面に形成された切り込み及び前記各切り込みに充填される光遮断層をさらに含むことを特徴とする請求項１又は２に記載の導波部材。
【請求項４】
前記導波路の上面及び下面に形成された切り込み及び前記各切り込みに充填される光遮断層をさらに含むことを特徴とする請求項１又は２に記載の導波部材。
【請求項５】
前記溝は前記導波路の上面及び下面を貫通することを特徴とする請求項１に記載の導波部材。
【請求項６】
少なくとも一つのキーボタンと前記キーボタンが固定される弾性シートを有するキーパッドと、
前記キーパッドの下部に位置され、内部に伝搬される光を導波させるための導波路、前記導波路によって導波される光を前記導波路に反射させるための少なくとも一つの溝、及び前記導波路の光が入射される一側面を除いた残り側面を取り囲み、光を吸収する光遮断層を有する導波部材と、
前記導波部材の下部に位置され、前記キーボタンが押されることによって電気コンタクトを形成するスイッチパッドと、
を含むことを特徴とするキーパッドアセンブリ。
【請求項７】
前記導波路の上面に形成された切り込み及び前記各切り込みに充填された光遮断層をさらに含むことを特徴とする請求項６に記載のキーパッドアセンブリ。
【請求項８】
前記導波路の上面及び下面に形成された切り込み及び前記各切り込みに充填された光遮断層をさらに含むことを特徴とする請求項６に記載のキーパッドアセンブリ。
【請求項９】
前記溝は、前記導波路の上面及び下面を貫通することを特徴とする請求項６に記載のキーパッドアセンブリ。
【請求項１０】
前記スイッチパッドは、
複数の電気コンタクトが形成されたプリント回路基板と、
前記プリント回路基板上に接合され、前記各電気コンタクトに対応するドームを有するドームシートと、
を含むことを特徴とする請求項６に記載のキーパッドアセンブリ。
【請求項１１】
前記導波路の側面に結合させるための光を生成する光源をさらに含むことを特徴とする請求項６に記載のキーパッドアセンブリ。
【請求項１２】
前記溝は、前記導波路の内部に結合された光の導波方向に対して垂直に形成され、前記導波路と大気との境界面を生成することを特徴とする請求項６に記載のキーパッドアセンブリ。
【請求項１３】
前記導波路の内部に結合させるための光を生成する光源と、
前記光源の上面及び側面に形成された光遮断層と、
をさらに含むことを特徴とする請求項６に記載のキーパッドアセンブリ。
【請求項１４】
前記溝は、前記導波路の側面に凹凸状に形成され、あるいは前記導波路の上面及び下面を貫通する孔状に形成されることを特徴とする請求項６に記載のキーパッドアセンブリ。
【発明の詳細な説明】
【技術分野】
【０００１】
本発明は、キーパッド及びキーパッドアセンブリに関するもので、特に導波部材を含むキーパッド及びキーパッドアセンブリに関する。
【背景技術】
【０００２】
一般に、キーパッドアセンブリ（ｋｅｙｐａｄ  ａｓｓｅｍｂｌｙ）は、パーソナルコンピュータ、携帯用無線端末機（ｐｏｒｔａｂｌｅ  ｗｉｒｅｌｅｓｓ  ｔｅｒｍｉｎａｌ）、自動化機械装置などにユーザーによる情報入力手段として使用される。通常のキーパッドアセンブリは、キーパッド及びスイッチパッド（ｓｗｉｔｃｈ  ｐａｄ）を含む。
【０００３】
キーパッドは、文字、数字、記号がプリントされた複数のキーボタン（ｋｅｙ  ｂｕｔｔｏｎ）と、上面に固定されたキーボタンを有する弾性シート（ｓｈｅｅｔ）とを含む。スイッチパッドは、複数の電気コンタクトが形成されたプリント回路基板（Ｐｒｉｎｔｅｄ  Ｃｉｒｃｕｉｔ  Ｂｏａｒｄ：ＰＣＢ）と、プリント回路基板上に接合されたドームシート（ｄｏｍｅ  ｓｈｅｅｔ）とを含む。
【０００４】
ユーザーがキーボタンを押すと、弾性シートを通じてドームシートの該当ドームに圧力が加えられる。すると、ドームは、変形されて該当電気コンタクト（ｃｏｎｔａｃｔ）に電気的に接続される。デバイス（キーパッドアセンブリが装着されたパーソナルコンピュータ、携帯用無線端末機、自動化機械装置など）は、ドームと電気コンタクトとの間の電気的接続に基づいて、ユーザーによって選択された情報が入力されたことを認識する。
【０００５】
携帯用無線端末機上に装着されるキーパッドアセンブリは、キーボタンの近くに位置した背面（ｒｅａｒ）照明手段をさらに備える。それによって、照明がない場合でも上記デバイスをユーザーが作動可能になる。
【０００６】
背面照明手段は、（１）スイッチパッド上に装着された複数の発光ダイオード（Ｌｉｇｈｔ−Ｅｍｉｔｔｉｎｇ  Ｄｉｏｄｅ：ＬＥＤ）がキーボタンを直接照射する構造、（２）有機発光体を用いる発光構造、及び（３）導波路などの導波部材を用いる構造のような多様なタイプを有する。
【０００７】
しかしながら、従来の背面照明手段は、キーボタンを照射する場合に、その周辺に相当量の光が照射されてしまい、損失が大きいという問題点があった。それによって、従来の背面照明手段は、携帯端末機の低電力化及び小型化に支障をもたらす。
【先行技術文献】
【特許文献】
【０００８】
【特許文献１】特開２００６−９２５３６号公報
【特許文献２】特開２００５−１７４８６６号公報
【特許文献３】特開２００４−３２７３８３号公報
【発明の概要】
【発明が解決しようとする課題】
【０００９】
したがって、上述した従来技術の問題点を解決するために、本発明の目的は、導波路の内部に結合された光の漏れ及び損失を最小化するようになされた導波路を含むキーパッドアセンブリを提供することにある。
【課題を解決するための手段】
【００１０】
上記の目的を達成するために、本発明の第１の側面による導波部材は、内部に伝搬される光を導波させる導波路と、導波路の内部に結合された光の導波方向に対して垂直に形成され、導波路によって導波された光を前記導波路に反射させるための少なくとも一つの溝とを含むことを特徴とする。
【００１１】
本発明の第２の側面によるキーパッドアセンブリは、少なくとも一つのキーボタンとキーボタンが固定される弾性シートを有するキーパッドと、キーパッドの下部に位置され、内部に伝搬される光を導波させるための導波路及び導波路によって導波される光を前記導波路に反射させるための少なくとも一つの溝を有する導波部材と、導波部材の下部に位置され、キーボタンが押されることによって電気コンタクトを形成するスイッチパッドとを含むことを特徴とする。
【発明の効果】
【００１２】
本発明による導波部材は、光の進行経路に対して垂直な方向に形成された少なくとも一つの溝を備えることによって、導波部材の内部に結合された光が初期の進行方向と異なる方向に導波されることができる。したがって、導波路の内部に結合された光が導波路全体にわたって拡散されることができる。それによって、本発明は、キーボタン側を照明するための光の輝度が均一でかつ向上する効果を有する。なお、本発明は、溝の周囲に形成された光遮断層によって光損失を最小化させることができる効果も有する。
【図面の簡単な説明】
【００１３】
【図１Ａ】本発明の第１の実施形態による導波部材を示す図である。
【図１Ｂ】本発明の第１の実施形態による導波部材を示す図である。
【図１Ｃ】本発明の第１の実施形態による導波部材を示す図である。
【図２Ａ】本発明の第２の実施形態による導波部材を示す図である。
【図２Ｂ】本発明の第２の実施形態による導波部材を示す図である。
【図２Ｃ】本発明の第２の実施形態による導波部材を示す図である。
【図３】本発明の第３の実施形態による導波部材を示す図である。
【図４Ａ】本発明の第４の実施形態による導波部材を示す図である。
【図４Ｂ】本発明の第４の実施形態による導波部材を示す図である。
【図４Ｃ】本発明の第４の実施形態による導波部材を示す図である。
【図４Ｄ】本発明の第４の実施形態による導波部材を示す図である。
【図４Ｅ】本発明の第４の実施形態による導波部材を示す図である。
【図５】本発明の第５の実施形態による導波部材を示す図である。
【図６】本発明の第６の実施形態によるキーパッドアセンブリの断面を示す図である。
【発明を実施するための形態】
【００１４】
以下、本発明の望ましい実施形態を添付の図面を参照して詳細に説明する。
【００１５】
下記に、本発明に関連した公知の機能または構成に関する具体的な説明が本発明の要旨を不明にすると判断された場合に、その詳細な説明を省略する。
【００１６】
図１Ａ及び図１Ｂは、本発明の第１の実施形態による導波部材を示す。導波部材１００は、内部に結合された光を導波させる導波路（ｗａｖｅｇｕｉｄｅ）１１０と、この導波路１１０の内部に結合された光の導波方向に対して垂直方向に形成され、導波路１１０から入射された光を上記導波路１１０に反射させるための少なくとも一つの溝１１１と、光を生成する光源１０１，１０２とを含む。
【００１７】
導波路１１０は、内部に結合された光を導波させ、結合された光は導波路１１０の第１の側面から第２の側面へ伝搬される。導波路１１０の第１の側面は、外部から光が結合される一側面を意味する。導波路１１０は、四角形又は幾何学的形状のような任意の形状を有することができる。導波路１１０の内部に結合された光は、導波路１１０とその外部空気層との境界面で全反射によって導波路１１０の内部を伝搬する。
【００１８】
導波路１１０は、ポリカーボネート（ｐｏｌｙｃａｒｂｏｎａｔｅ）、ＰＭＭＡ（ｐｏｌｙｍｅｔｈｙｌｍｅｔｈａｃｒｙｌａｔｅ）、ポリウレタン（ｐｏｌｙｕｒｅｔｈａｎｅ）、シリコーン（ｓｉｌｉｃｏｎｅ）など、低い硬度、高い弾性変形率、高い復元力、及び高い光透過率を有するポリマー材質で形成されることができる。
【００１９】
溝１１１は、導波路１１０の内部に結合された光の導波方向に対して垂直方向に形成され、導波路１１０から入射された光を導波路１１０の内部に反射させる。特に、溝１１１は、第２の側面の一部分に凹凸状に形成されることができ、それによって導波路１１０に外部空気層との境界面を提供する。
【００２０】
したがって、導波路１１０によって導波されて溝１１１に入射される光は、導波路１１０と外部空気層との間の屈折率差によって導波路側に反射される。
【００２１】
光が導波される方向に対して垂直な溝１１１の断面は、所定の曲率を有する半円、円、又は楕円の形状を有し、或いは多角形の形状を有することができる。また、溝１１１は、第２の側面に沿って導波路１１０の内部に伸びることができる。
【００２２】
図１Ａに示す溝１１１は、導波路１１０の第２の側面の一部分に凹凸状に形成されるが、導波路１１０を貫通する孔（ｈｏｌｅ）形態となることができる。また、溝１１１は、導波路１１０の上面及び下面の一部分に形成される凹凸形態となることができる。
【００２３】
図１Ｂは、図１Ａに示す溝１１１が形成された導波路１１０の一部分を拡大して示す。図１Ｂに示すように、溝１１１に臨界角θＣで入射された光１０３ａは、導波路１１０の内部に全反射される。臨界角θＣより大きい角度で入射された光１０４ａは、その一部（実線で表示）が溝１１１を通過して外部に漏れ、残りの一部１０４ｂが導波路の内部に反射される。その他に、一部の光は、溝によって定義された境界面で散乱によって損失される。
【００２４】
空気層の屈折率ｎ１は１であり、他の物質の屈折率と比較するための基準として使用される。導波路１１０は、空気層の屈折率ｎ１より高い屈折率ｎ０を有する。
【００２５】
本実施形態によると、少なくとも一つの溝１１１は、導波路１１０の第１の側面から第２の側面に導波される光の進行経路又は第２の側面に形成され、導波路１１０と空気層との間の屈折率差の境界面を提供する。したがって、溝１１１に入射される光は、導波路１１０と空気層との間の屈折率差によって導波路１１０の内部に反射される。
【００２６】
溝１１１に入射される光が全反射条件を満たす場合に、境界面で散乱などによる一部の光の損失を除いた大部分の光は、導波路１１０の内部に反射される。全反射条件を満たしていないと（すなわち、入射角が臨界角より大きいと）、光の一部が溝１１１を透過し、残りの光は導波路１１０の内部に反射される。
【００２７】
したがって、溝１１１は、導波路１１０の内部に結合された光が漏れるときに発生する光の損失を最小化する。
【００２８】
図１Ｃを参照すると、図１Ａに示す導波路１１０は、第２の側面の周囲にプリントされた光遮断層１２０を有する。特に、光遮断層１２０は、光源１０１，１０２が対面する第１の側面及び溝１１１が形成された第２の側面の周囲にプリントされる。光遮断層１２０は、導波路１１０の外部に光が漏出されることを防止するために、例えば黒インクが使用されることができる。したがって、溝１１１は、図１Ｃに示すように、光遮断層１２０を形成しないことが望ましい。
【００２９】
図２Ａは、本発明の第２の実施形態による導波部材を示す。導波部材２００は、第１の側面を通じて内部に結合された光を第２の側面に導波させるための導波路２１０と、導波路２１０の第１の側面に光を出力する少なくとも一つの光源２０１，２０２と、導波路２１０に形成された少なくとも一つの溝２１１と、導波路２１０の第２の側面の周囲に形成された光遮断層２２０とを含む。
【００３０】
本実施形態による導波部材２００の説明において、本発明の第１の実施形態と重複する構成及び動作の詳細な説明は、簡素化のために省略する。
【００３１】
溝２１１は、導波路２１０内に第２の側面に沿って形成され、第１の側面から導波される光を導波路２１０の内部に反射させることができる。溝２１１は、図２Ｂに示すように、導波路２１０の上面に光遮断層に沿ってスクラッチ（ｓｃｒａｔｃｈ）によって凹凸形状に形成されることができる。また、図２Ｃに示すように、溝２１１は、導波路２１０の上面及び下面を貫通する孔形状にも形成されることができる。
【００３２】
光遮断層２２０は、図２Ａ〜図２Ｃに示すように、導波路２１０の第２の側面に沿ってプリントによって形成されることができる。光遮断層２２０は、反射されずに溝２１１を透過した光の一部を吸収することによって、導波路２１０の外部に不必要な光が漏れることを防止する。光遮断層２２０は、一般に黒インクが使用されるが、導波路２１０の第２の側面に接する光遮断層２２０の内面には白色インクがプリントに使用されることができる。
【００３３】
図３は、本発明の第３の実施形態による導波部材を示す。図３を参照すると、導波部材３００は、第１の側面を通じて内部に結合された光を第２の側面に導波させるための導波路３１０と、この導波路３１０に形成された少なくとも一つの溝３１１と、導波路３１０の第２の側面に沿って形成された光遮断層３２０と、導波路３１０の内部に結合させるための光を生成する光源３０１，３０２とを含む。
【００３４】
本発明の第３の実施形態による導波部材３００の説明において、本発明の第１及び第２の実施形態と重複する構成及び動作の説明は、簡素化のために省略する。
【００３５】
溝３１１は、導波路３１０の第２の側面に隣接した一部分に局部的に形成されることができる。また、溝３１１は、導波路３１０を貫通する孔又はスクラッチによって凹凸の形状に形成されることができる。
【００３６】
光遮断層３２０は、導波路３１０の第２の側面にプリントによって形成されることができ、溝３１１を通過した光の一部を吸収できる。
【００３７】
図４Ａは、本発明の第４の実施形態による導波部材４００を示す。図４Ｂ〜図４Ｅは、各々図４ＡのＡ−Ａ’に沿った断面の例を示す。本実施形態による導波部材４００は、第１の側面を通じて内部に結合された光を第２の側面に導波させるための導波路４１０と、導波路４１０の一部分に形成された少なくとも一つの溝４１１と、第２の側面に沿って導波路４１０に形成された光遮断層４２０と、導波路４１０の内部に結合させるための光を生成する光源４０１，４０２とを含む。光源４０１，４０２は、光の発光面を導波路４１０の第１の側面に対面するように位置される。
【００３８】
本発明の実施形態による導波部材４００の説明において、本発明の第１〜第３の実施形態と重複する構成及び動作の説明は、簡素化のために省略する。
【００３９】
本実施形態による導波部材４００は、溝４１１に沿って導波路４１０内にプリントされた光遮断層４２０を有する。この光遮断層４２０は、導波路４１０に反射されずに溝４１１を透過した光を吸収して導波路４１０の外部への光の漏れを最小化する。
【００４０】
図４Ｂを参照すると、溝４１１が導波路４１０の上面にスクラッチ又はエッチングによって形成される。また、溝４１１は、導波路４１０の成形と同時に形成されることができる。溝４１１は、導波路４１０の内部を伝搬する光の経路上に導波路４１０とその外部空気層との境界面を提供する。その結果、導波路４１０の第２の側面に導波される光は、溝４１１によって導波路４１０に反射される。
【００４１】
光遮断層４２０ａは、導波路４１０の第２の側面と溝４１１との間に、溝４１１を取り囲むように形成される。したがって、光遮断層４２０ａは、溝４１１を通過した一部の光を吸収して導波路４１０の外部への光の漏れを最小化する。上記断面図に示すように、光遮断層４２０ａは、導波路４１０の上面に形成された切り込み（ｎｏｔｃｈ）４２０ｂに、例えば黒インクを用いてプリントされる。
【００４２】
図４Ｃを参照すると、溝４１１が導波路４１０の上面及び下面を貫通する孔形状に形成される。光遮断層４２０ａは、図４Ｂと同一の構成を有する。
【００４３】
図４Ｄは、図４Ｂの場合と同様に、導波路４１０の上面４１０ａに形成された溝４１１を有する導波路４１０の断面構造を示す。また、導波路４１０は、その上面及び下面４１０ａ，４１０ｂに形成された切り込み４２０ｃに充填された光遮断層４２０ａ，４２０ｂを有する。
【００４４】
図４Ｅは、導波路４１０の上面及び下面４１０ａ，４１０ｂを貫通する溝４１１を有する導波路４１０の断面構造を示す。導波路４１０は、その上面及び下面４１０ａ，４１０ｂに交互に対角形又はジグザグ形に形成された切り込み４２０ｃにプリントされた光遮断層４２０ａ，４２０ｂを有する。
【００４５】
図５は、本発明の第５の実施形態による導波部材を示す。図５を参照すると、導波部材５００は、少なくとも一つの光源５０１，５０２と、これら光源５０１，５０２に第１の側面が対面するように位置された導波路５１０と、この導波路５１０内に形成された複数の溝５１１，５１２と、導波路５１０の第２の側面の周囲及び溝５１１，５１２の間で形成された光遮断層５２０とを含む。
【００４６】
導波路５１０は、その上面又は下面にスクラッチ又はプリントによって形成された少なくとも一つの反射パターンを有する。この反射パターンは、導波路５１０の成形時と同時に形成されることができる。反射パターンは、導波路５１０の内部に伝搬する光の一部を乱反射することによって、導波路５１０の上面又は下面に反射させることができる。
【００４７】
各溝５１１，５１２は、導波路５１０の上面及び下面を貫通する孔形状に形成されることができる。また、溝５１１，５１２は、導波路５１０の上面又は下面にスクラッチ又は導波路５１０の成形と同時に凹凸形状に形成されることもできる。
【００４８】
図６は、本発明の第６の実施形態によるキーパッドアセンブリの断面を示す。キーパッドアセンブリ６００は、携帯用無線端末機内に装着されることができる。このキーパッドアセンブリ６００は、キーパッド６１０と、このキーパッド６１０と対面するように位置されるスイッチパッド６３０と、少なくとも一つの光源６４０と、スイッチパッド６３０とキーパッド６１０との間に位置された導波部材６２０とを含む。光源６４０は、光遮断層６２２ｂによって光の発光面を除き、残りの周囲が覆われる。
【００４９】
キーパッド６１０は、弾性シート６１２と、この弾性シート６１２上に位置された少なくとも一つのキーボタン６１１とを含む。弾性シート６１２は、導波部材６２０側に突出された押圧突起６１２ａを有することができる。この押圧突起６１２ａは、ユーザーがキーボタン６１１を押すと、スイッチパッド６３０にその圧力を伝達する。また、押圧突起６１２ａは、スイッチパッド６３０からの反発力をユーザーに伝送することによって、ユーザーが該当スイッチのコンタクトが形成されたか否かを認識できるようにする。
【００５０】
弾性シート６１２は、おおよそ四角板の形態はもちろん、それ以外の多様な形態にも形成されることができる。弾性シート６１２の弾性は、ユーザーによって押されたキーボタン６１１が更に原位置に戻るようにする。特に、弾性シート６１２の自己復元力は、押されたキーボタン６１２を元の状態に復元させることができる。
【００５１】
弾性シート６１２は、キーボタンの垂直下方に位置された押圧突起６１２ａを有し、キーボタン６１２が押されると、その圧力をスイッチパッド６３０に伝達する。すると、ユーザーは、スイッチパッド６３０が押されたか否かを認知することができる。
【００５２】
キーボタン６１１は、弾性シート６１２の上面に位置される。このキーボタン６１１は、接着剤によって弾性シート６１２に付着され、或いは射出成形によって弾性シート６１２と一体に形成されることができる。キーボタン６１１は、弾性シート６１２と同一の材質で形成可能である。また、キーボタン６１１は、ポリカーボネート又はアクリル系樹脂のような材質で形成されることもできる。本実施形態によるキーボタン６１１は、四角ブロックの形状を有するが、円柱、楕円柱のような他の形状を有することもできる。
【００５３】
導波部材６２０は、内部に結合された光を導波させるための導波路６２１と、この導波路６２１の内部に結合された光を拡散させるための少なくとも一つの溝６２１ａと、光遮断層６２２ａ，６２２ｂとを含む。光源６４０を取り囲む光遮断層６２２ｂとしては、例えば、黒色のテープなどが使用されることができる。導波路６２１を取り囲む光遮断層６２２ａは、例えば、黒色のインクプリントによって形成されることができる。
【００５４】
導波路６２１は、内部に結合された光の一部をキーボタン６１１の方に反射させるための反射パターン６２１ｂと、内部に導波された光が外部に漏れることを抑制するための溝６２１ａと、光遮断層６２２ａ，６２２ｂとを含む。導波路６２１は、光源６４０に対向する第１の側面を通じて内部に結合された光を上面及び下面の外部空気層との境界面で全反射によって第２の側面（第１の側面の他側）の方に導波させる。反射パターン６２１ｂは、導波路６２１の下面又は上面にスクラッチによって形成されることができる。また、反射パターン６２１ｂは、導波路６２１の成形と同時に凹凸形状に形成されることもできる。
【００５５】
全反射後に導波路６２１の内部に伝搬される光が反射パターン６２１ｂに入射されると、反射パターン６２１ｂによって全反射条件を満たしていない（入射角が臨界角より小さい場合）。すると、この光は、導波路６２１及び弾性シート６１２を透過してキーボタン６１１を照明する。
【００５６】
導波路６２１は、キーパッドアセンブリ６００のスリム化のために薄い厚さ（具体的に０．１〜０．３ｍｍ）を有することが望ましい。例えば、導波路６２１の材質がポリカーボネート又はＰＭＭＡである場合に、その厚さは０．１〜０．２ｍｍである。導波路６２１がポリウレタン又はシリコンの材質でできている場合に、０．１〜０．３ｍｍの厚さを有する。
【００５７】
導波路６２１の内部に結合された光が、キーボタンの側を照明する代わりに導波路６２１の外部に漏れると、光漏れが発生する。キーボタン６１１を照らすために必要な輝度は、光が不必要に漏出されることによって低下する。
【００５８】
導波路６２１の内部に結合された光は、導波路６２１の外部空気層との境界（上面及び下面と外部空気層との間の境界）での全反射によって導波路６２１の内部に進行する。すなわち、溝６２１ａは、導波路６２１の内部に光が導波される方向に対して垂直に形成されることによって、導波路６２１の内部に外部空気層との境界を形成する。その結果、導波路６２１の内部に導波される光は、溝６２１ａによって形成された境界で導波路６２１に反射される。
【００５９】
導波路６２１の内部に結合された光が導波路６２１の外部へ漏れることなく、キーボタン６１１を照明するように、光遮断層６２２ａは、光が入射される導波路６２１の側面（光源６４０に対向する側面）を除き、残りの側面を取り囲む。光遮断層６２２ａは、光漏れを抑制するために、光を吸収するように黒インクを用いるプリント過程を通じて形成される。導波路６２１の該当側面に接する光遮断層６２２ａの一面を白色インクでプリントすることによって、光遮断層６２２ａに入射される光を導波路６２１の方に反射させることができる。
【００６０】
光遮断層６２２ａは、本発明の第１〜第５の実施形態（図１Ａ、図２Ａ、図３Ａ、図４Ａ、図５）で説明したように、光が入射される側面を除いた導波路６２１の側面に沿ってその内部に形成される。それによって、溝６２１ａによってその経路が変換された光の漏れを最小化する。
【００６１】
また、溝６２１ａ及び光遮断層６２２ａは、本発明の第１〜第５の実施形態による構造が適用されることができる。
【００６２】
スイッチパッド６３０は、電気コンタクト６３２ａを有するプリント回路基板（ＰＣＢ）６３２を含む。ドームシート６３１は、プリント回路基板６３２上に接合され、電気コンタクト６３２ａに対応するドームを備える。
【００６３】
ドームシート６３１は、薄い導電性材質で形成され、ユーザーがキーボタン６１１を押すときに、該当ドームと電気コンタクト６３２ａが相互に電気的に接続される。ドームシート６３１は、例えば、接着剤によってプリント回路基板６３２に付着されることができる。
【００６４】
導波路６２１とドームシート６３１との間に、支持部材６２３が挿入されることができる。支持部材６２３は、四角片（ｓｔｒｉｐ）のようなリング形状に形成されることができる。また、支持部材６２３は導波路６２１の縁又は内側部分に付着され、両面テープ、接着剤、粘着性を有するプリント層で構成されることができる。
【符号の説明】
【００６５】
１００  導波部材
１０１，１０２  光源
１１０  導波路
１１１  溝
１２０  光遮断層
２００  導波部材
２０１，２０２  光源
２１０  導波路
２１１  溝
２２０  光遮断層
３００  導波部材
３０１，３０２  光源
３１０  導波路
３１１  溝
３２０  光遮断層
４００  導波部材
４０１，４０２  光源
４１０  導波路
４１１  溝
４２０  光遮断層
５００  導波部材
５０１，５０２  光源
５１０  導波路
５１１，５１２  溝
５２０  光遮断層
６００  キーパッドアセンブリ
６１０  キーパッド
６２０  導波部材
６３０  スイッチパッド
６４０  光源
【図１Ａ】
2011204686.tif 000003
【図１Ｂ】
2011204686.tif 000004
【図１Ｃ】
2011204686.tif 000005
【図２Ａ】
2011204686.tif 000006
【図２Ｂ】
2011204686.tif 000007
【図２Ｃ】
2011204686.tif 000008
【図３】
2011204686.tif 000009
【図４Ａ】
2011204686.tif 000010
【図４Ｂ】
2011204686.tif 000011
【図４Ｃ】
2011204686.tif 000012
【図４Ｄ】
2011204686.tif 000013
【図４Ｅ】
2011204686.tif 000014
【図５】
2011204686.tif 000015
【図６】
2011204686.tif 000016